(57)【要約】【課題】手摺２の上面に手をついたときに体重を支えやすく、しかも、しっかりとつかまりやすく、さらには手摺２から手を離さずに歩き続けることができる。【解決手段】複数の支柱１の上端に支持された手摺２であって、略平板状の上面部７と、上面部７の両側から垂下形成された側面部８と、上記側面部８の下端を連結する下面部９とを有し、上記上面部７の少なくとも一方の側部から外側に上部突条部１２を突出させて大人の手のひらと同じ程度の幅とするとともに、上記上部突条部１２と上記側面部８との間に指掛け可能な凹部を形成した。【選択図】図２
2010121345.tif 000002
【特許請求の範囲】
【請求項１】
複数の支柱の上端に支持された手摺であって、略平板状の上面部と、上面部の両側から垂下形成された側面部と、上記側面部の下端を連結する下面部とを有し、上記上面部の少なくとも一方の側部から外側に上部突条部を突出させて大人の手のひらと同じ程度の幅とするとともに、上記上部突条部と上記側面部との間に指掛け可能な凹部を形成したことを特徴とする手摺。
【請求項２】
端部にはエンドキャップが取付けられるとともに、このエンドキャップには、上記上部突条部に連続的に設けられる突部を形成したことを特徴とする、請求項１に記載の手摺。
【請求項３】
上記側面部の下部から外側に下部突条部を突出形成したことを特徴とする、請求項１に記載の手摺。
【請求項４】
端部にはエンドキャップが取付けられるとともに、このエンドキャップには、上記上部及び下部突条部に連続的に設けられる突部を形成したことを特徴とする、請求項３に記載の手摺。
【発明の詳細な説明】
【技術分野】
【０００１】
本発明は、複数の支柱の上端に支持された手摺に関する。
【背景技術】
【０００２】
一般に、建物の内部の廊下、集合住宅の外廊下や階段、あるいは玄関から敷地の門までの間などに手摺を設置するときは、複数の支柱を立て、これらの支柱の上端に取付金具を介して手摺を支持させている。
【０００３】
ところで、従来の手摺は、特許文献１に示されるように、略円筒状に形成されていた。これは手摺が古くから丸棒であったことに由来するものと思われる。
【０００４】
ところが、このような丸棒状の手摺は、階段を下りるときなどのように手でつかまった状態で体重をかけると、その負荷は手のひらの一部に集中し、痛く感じるとともに、手摺の下面も丸いので、階段を上がるときなど、指先に引っかかりにくいためにしっかりとつかまりにくい。また、手摺の下面には間隔をおいて取付金具が固定されているので、手摺につかまったまま歩くと、指が取付金具に直接に当たり、痛い思いをすることがあり、取付金具にぶつからないように注意しながら歩かなければならない。
【０００５】
そこで、特許文献２のように、全体がやや扁平な断面形状の手摺が提案されている。この手摺の上面はほぼ平らに形成されているので、手でつかまった状態で体重をかけた場合、その負荷は手摺上面に均一に分散されるので、痛く感じにくいという特長がある。
【特許文献１】特開平６−３１３３５１号公報
【特許文献２】特開２００６−２００２９２号公報
【発明の開示】
【発明が解決しようとする課題】
【０００６】
しかしながら、特許文献２の手摺によってもなお、階段を上がるときなど、しっかりとつかまりにくい、手摺につかまったまま歩くと、指が取付金具にぶつかるおそれがある等の問題は解決されないままである。
【０００７】
本発明は上記問題点を解消し、特に手摺の上面に手をついたときに体重を支えやすいとともに、指をかけて確実につかまることができ、さらには手摺から手を離さずに歩き続けることができる手摺を提供することをその課題とする。
【課題を解決するための手段】
【０００８】
上記課題を解決するため、請求項1に係る発明は、複数の支柱の上端に支持された手摺であって、略平板状の上面部と、上面部の両側から垂下形成された側面部と、上記側面部の下端を連結する下面部とを有し、上記上面部の少なくとも一方の側部から外側に上部突条部を突出させて大人の手のひらと同じ程度の幅とするとともに、上記上部突条部と上記側面部との間に指掛け可能な凹部を形成したことを特徴とする。
【０００９】
請求項２に係る発明は、請求項１において、端部にはエンドキャップが取付けられるとともに、このエンドキャップには、上記上部突条部に連続的に設けられる突部を形成したことを特徴とする。
【００１０】
請求項３に係る発明は、請求項１において、上記側面部の下部から外側に下部突条部を突出形成したことを特徴とする。
【００１１】
請求項４に係る発明は、請求項３において、端部にはエンドキャップが取付けられるとともに、このエンドキャップには、上記上部及び下部突条部に連続的に設けられる突部を形成したことを特徴とする。
【発明の効果】
【００１２】
請求項１に係る発明によれば、手摺は、略平板状の上面部と、上面部の両側から垂下形成された側面部と、上記側面部の下端を連結する下面部とを有し、上記上面部の少なくとも一方の側部から外側に上部突条部を突出させて大人の手のひらと同じ程度の幅としたから、上面部と上部突条部とに手をついて体重をかけたとき、手のひらには負荷が均一にかかるので、痛く感じにくい。
【００１３】
また、全体の断面形状は小さくても上面部の側部に上部突条部を延長形成するだけで幅広の上面部分を形成することができる。
【００１４】
さらに、上面部の少なくとも一方の側部から外側に上部突条部を突出形成し、この上部突条部と上記側面部との間に指掛け可能な凹部を形成したので、指先を突条部に引っかけやすい。この突条部は手摺の全長に沿って連続形成されるので、取付金具を気にせずにしっかりとつかまって身体を安全に確保しながら手摺から手を離さずに歩き続けることができる。さらに、小さい子供や老人などのように、あまり手が大きくなくても十分に突条部に手をかけて歩くことができる。
【００１５】
請求項２に係る発明によれば、手摺の端部に取付けられたエンドキャップには、上記上部突条部に連続的に設けられる突部が形成されているので、手摺の端部まで手をかけることができ、便利である。また、手摺の側面全周に突条部と突部とが連続形成されるので、デザイン性に優れた手摺を市場に提供することができる。
【００１６】
請求項３に係る発明によれば、側面部の下部から外側に下部突条部を突出形成しているから、手のひらの大きい大人などは側面部の下部にある突条部の方が手をかけやすい。
【００１７】
請求項４に係る発明によれば、請求項２に係る発明と同様の効果を得ることができる。
【発明を実施するための最良の形態】
【００１８】
図１は本発明に係る手摺の正面図であり、図２は図１のＸ−Ｘ線上の拡大断面図である。この手摺は、複数の支柱１の上端に設けられ、支柱１はアルミニウムの押出型材からなる中空部材で、上端には取付金具３が設けられ、この取付金具３を介して手摺２が支持されている。
【００１９】
取付金具３は図３に示されるように、第１の取付金具３ａと第１の取付金具３ａに回動可能に取付けられた第２の取付金具３ｂとによって構成され、第１の取付金具３ａは支柱１の上端に載置され、取付ビス４を第１の取付金具３ａの台座部５から支柱１の長手方向に形成されたビスホール（図示せず）に螺合させることにより固定されている。また、第２の取付金具３ｂは、略Ｔ字形に形成され、上部両端は手摺２の下部にビス止め固定され、中央部の下端は第１の取付金具３ａの上部に回動可能に取付けられている。第１の取付金具３ａと第２の取付金具３ｂとは回動可能に連結されているので、傾斜地に立てた支柱１の上に手摺２を斜めに配設することもできる。
【００２０】
次に、手摺２もアルミニウムの押出型材からなる中空部材で、略平板状の上面部７と、上面部７の両側から垂下形成された側面部８と、上記側面部８の下端を連結する下面部９とから全体的に扁平な略角筒状に形成されている。
【００２１】
上面部７は、中央部が高く両側が低くなるように緩やかに湾曲した平板状に形成されている。
【００２２】
側面部８は垂直の板状に形成されている。
【００２３】
下面部９の両側部には中央部にかけて低く傾斜する傾斜部１０が形成され、中央の下方に開口する溝部１１に連続形成されている、
次に、上面部７の両側部から外側に上部突条部１２と下部突条部１３とが突出形成され、上部突条部１２と側面部８との間には指掛け可能な凹部が形成されている。下部突条部１３は下面部９の延長上に形成されているが、下面部９よりも高い位置に形成してもよい。
【００２４】
上面部７の両外側から外側上部突条部１２を突出形成することにより、手摺の上面部分は大人の手のひらと同じ程度の幅、つまり約６０〜７５ｍｍに形成されている。
【００２５】
上記構成により、手摺２の側面は、上部突条部１２と下部突条部１３とによって凹溝状に形成されている。
【００２６】
下面部９の溝部１１の溝壁には突部１４が形成され、溝底部分にビス受け１５が配置されている。そして、図２に示すように、取付ブロック１５ａに貫通させた固定ビス１６を第２の取付金具３ｂの下からビス受け１５にねじ込むことによって、第２の取付金具３ｂを手摺２に固定している。
【００２７】
なお、上部突条部１２と下部突条部１３は両側面部８に形成されている必要はない。片側にだけ形成する構成であってもよい。
【００２８】
次に、図４〜図６に示されるように、手摺２の端部には合成樹脂製のエンドキャップ１７が取付けられている。エンドキャップ１７には、手摺２の中空部の端部を覆う覆い部１８と、覆い部１８の内側に形成されて手摺２の中空部に差し込まれる係合片１９と、覆い部１８の外側に形成された上部突部２０と下部突部２１とが形成されている。上部突部２０と下部突部２１とは、上記上下の突条部１２、１３に対応するように形成されている。なお、係合片１９のうち中央部の係合片１９ａは手摺２の下面部９に設けられた溝部１１の溝底に対応するように形成されている。
【００２９】
エンドキャップ１７は、係合片１９を手摺２の端部から内部に嵌め込み、溝部１１の下から挿通したビス２２をエンドキャップ１７の中央部の係合片１９ａに螺合することにより固定されている。エンドキャップ１７が固定されたとき、エンドキャップ１７の上部突部２０と下部突部２１とは、手摺２の上下の突条部１２、１３と連続するように構成されている。
【００３０】
上述の構成によれば、手摺２は、上面部７と、上面部７の両側から垂下形成された側面部８と、側面部８の下端を連結する下面部９とから構成され、上面部７は略平板状で大人の手のひらと同じ程度の幅を有しているから、上面部７に手をついて体重をかけると、手のひらには負荷が均一にかかるので、上面が丸いものに比べて痛く感じにくい。
【００３１】
また、手摺２の全体の断面形状は小さくても上面部７の側部に上部突条部１２を延長形成するだけで幅広の上面部分を形成することができる。
【００３２】
また、手摺２の外側面に沿って上部突条部１２が突出形成されているので、小さい子供や老人などのように、あまり手が大きくなくても、上部突条部１２に手を掛ければよく指先を突条部に引っかけやすい。この上部突条部１２は手摺２の全長に沿って連続形成されているので、取付金具３を気にせずにしっかりとつかまって身体を安全に確保しながら手摺２から手を離さずに歩き続けることができる。
【００３３】
さらに、手のひらが大きい大人などは側面部８の下部突条部１３に手を掛ければよい。このように、手が大きい小さいにかかわらず、手をかけやすい方の突条部を選択して身体を確保しながら歩くことができる。
【００３４】
また、手摺２の端部に設けられるエンドキャップ１７には、上記上下の突条部１２、１３にそれぞれ連続的に設けられる上下の突部２０、２１を形成したので、手摺２の端部まで手をかけることができ、便利である。
【００３５】
なお、手摺２の形状は上述の例に限定されない。例えば、図７（ａ）のように、上部突条部１２を肉厚にして強度を上げてもよく、あるいは同図（ｂ）のように、手摺２の上面部７に合成樹脂製のカバー２３を被せ、カバー２３の両側端部を上部突条部１２の下部係止溝２４に係止させる構成としてもよい。また、側面部８の外側に嵌合溝２５を形成し、この嵌合溝２５に、化粧板材２６を嵌め込んで手摺の意匠性を高めるようにしてもよい。
【００３６】
また、突条部は上部の突条部のみでもよい。突条部を上部の突条部のみに設ける場合は、エンドキャップの突部もこれに対応するように構成すればよい。
【図面の簡単な説明】
【００３７】
【図１】本発明に係る手摺の正面図
【図２】図１のＸ−Ｘ線上の拡大断面図
【図３】上記手摺の取付金具部分の拡大図
【図４】上記手摺の端部の拡大図
【図５】上記手摺の端部の側面の拡大図
【図６】キャップの背面図
【図７】（ａ）（ｂ）は手摺の他の形態の端面図
【符号の説明】
【００３８】
２  手摺
７  上面部
８  側面部
１２  上部突条部
１３  下部突条部
１７  エンドキャップ
２０  上部突部
２１  下部突部
【図１】
2010121345.tif 000003
【図２】
2010121345.tif 000004
【図３】
2010121345.tif 000005
【図４】
2010121345.tif 000006
【図５】
2010121345.tif 000007
【図６】
2010121345.tif 000008
【図７】
2010121345.tif 000009